(57)【要約】【課題】熱源機５の給湯用熱交換器５１で加熱された温水を浴槽に落下させる打たせ湯ノズル４１を備える打たせ湯装置において、給湯温度を誤って高温に設定したときの高温水の落下を防止する。【解決手段】打たせ湯ノズル４１に温水を供給する打たせ湯水路４２に介設した打たせ湯電磁弁４６と、打たせ湯電磁弁４６より上流側の打たせ湯水路４２の部分から分岐させた排水路４７と、排水路４７に介設した排水電磁弁４８と、排水路４７の分岐個所より上流側の打たせ湯水路４２の部分で温水の温度を検出する温度センサ４５とを備える。温度センサ４５の検出温度が所定の上限温度以上になったときに、打たせ湯電磁弁４６を閉弁させると共に排水電磁弁４８を開弁させる打たせ湯中止処理を実行し、温度センサ４５の検出温度が上限温度を下回ったときに、排水電磁弁４８を閉弁させる。【選択図】図３
2010131281.tif 000002
【特許請求の範囲】
【請求項１】
熱源機の給湯用熱交換器で加熱された温水を浴槽に落下させる打たせ湯ノズルを備える打たせ湯装置であって、
打たせ湯ノズルに給湯用熱交換器からの温水を供給する打たせ湯水路に介設した打たせ湯電磁弁と、
打たせ湯電磁弁より上流側の打たせ湯水路の部分から分岐させた排水路と、
排水路に介設した排水電磁弁と、
排水路の分岐個所より上流側の打たせ湯水路の部分で温水の温度を検出する打たせ湯温度センサと、
打たせ湯電磁弁及び排水電磁弁を開閉制御する制御手段とを備え、
制御手段は、打たせ湯電磁弁を開弁させて打たせ湯ノズルから温水を落下させる打たせ湯運転時に、打たせ湯温度センサの検出温度が所定の上限温度以上になったときに、打たせ湯電磁弁を閉弁させると共に排水電磁弁を開弁させる打たせ湯中止処理を実行し、打たせ湯温度センサの検出温度が上限温度を下回ったときに、排水電磁弁を閉弁させるように構成されることを特徴とする打たせ湯装置。
【請求項２】
前記制御手段は、前記打たせ湯中止処理に際し、排水を指示する手動操作が行われたところで前記排水電磁弁を開弁させるように構成されることを特徴とする請求項１記載の打たせ湯装置。
【請求項３】
前記制御手段は、前記排水電磁弁の開弁時に、排水が行われることを報知する報知手段を作動させるように構成されることを特徴とする請求項２記載の打たせ湯装置。
【請求項４】
前記制御手段は、前記打たせ湯温度センサの検出温度が前記上限温度以上になったときに所定の待ち時間が経過したところで前記打たせ湯中止処理を実行するように構成され、この待ち時間は打たせ湯温度センサの検出温度が高くなるほど短く設定されることを特徴とする請求項１〜３の何れか１項記載の打たせ湯装置。
【発明の詳細な説明】
【技術分野】
【０００１】
本発明は、熱源機の給湯用熱交換器で加熱された温水を浴槽に落下させる打たせ湯ノズルを備える打たせ湯装置に関する。
【背景技術】
【０００２】
従来の打たせ湯装置は、浴槽内の湯を熱源機との間に循環させる風呂追い焚き回路から分岐させた打たせ湯水路を介して打たせ湯ノズルに浴槽内の湯を供給するように構成されている(例えば、特許文献１参照)。
【０００３】
然し、浴槽内の湯を打たせ湯ノズルから落下させることは衛生上好ましくない。そのため、熱源機の給湯用熱交換器で加熱された温水を打たせ湯ノズルから落下させることが望まれている。
【０００４】
ここで、給湯温度は給湯リモコンで最高６０℃まで可変設定できるようになっている。そして、給湯用熱交換器で加熱された温水を打たせ湯ノズルに供給する場合には、給湯温度を誤って高温に設定した場合、高温の温水が入浴者に落下してしまう可能性があり、安全対策を講ずることが必要になる。
【特許文献１】特開２００１−４１４７４号公報
【発明の開示】
【発明が解決しようとする課題】
【０００５】
本発明は、以上の点に鑑み、熱源機の給湯用熱交換器で加熱された温水を打たせ湯ノズルに供給するものにおける高温の温水の落下を防止できるようにした打たせ湯装置を提供することをその課題としている。
【課題を解決するための手段】
【０００６】
上記課題を解決するために、本発明は、熱源機の給湯用熱交換器で加熱された温水を浴槽に落下させる打たせ湯ノズルを備える打たせ湯装置であって、打たせ湯ノズルに給湯用熱交換器からの温水を供給する打たせ湯水路に介設した打たせ湯電磁弁と、打たせ湯電磁弁より上流側の打たせ湯水路の部分から分岐させた排水路と、排水路に介設した排水電磁弁と、排水路の分岐個所より上流側の打たせ湯水路の部分で温水の温度を検出する打たせ湯温度センサと、打たせ湯電磁弁及び排水電磁弁を開閉制御する制御手段とを備え、制御手段は、打たせ湯電磁弁を開弁させて打たせ湯ノズルから温水を落下させる打たせ湯運転時に、打たせ湯温度センサの検出温度が所定の上限温度以上になったときに、打たせ湯電磁弁を閉弁させると共に排水電磁弁を開弁させる打たせ湯中止処理を実行し、打たせ湯温度センサの検出温度が上限温度を下回ったときに、排水電磁弁を閉弁させるように構成されることを特徴とする。
【０００７】
本発明によれば、給湯用熱交換器からの温水の温度が上限温度以上になると、打たせ湯電磁弁が閉弁して、打たせ湯ノズルへの温水の供給が遮断される。従って、給湯温度を誤って高温に設定しても、打たせ湯ノズルから高温の温水が落下することはない。但し、打たせ湯電磁弁を閉弁するだけでは、打たせ湯が中止された後、使用者が給湯温度を低く設定し直して、打たせ湯運転を再開したときに、打たせ湯水路内に残留する高温の温水が打たせ湯ノズルから落下する可能性がある。これに対し、本発明では、給湯用熱交換器からの温水の温度が上限温度以上になると、打たせ湯電磁弁が閉弁するだけでなく、打たせ湯温度センサの検出温度が上限温度を下回るまで排水電磁弁が開弁するため、打たせ湯水路内の高温の残留水は排水路を介して排水される。従って、打たせ湯運転の再開時に高温の残留水が打たせ湯ノズルから落下することも防止でき、安全である。
【０００８】
ところで、集合住宅では、排水路から屋外に排水することができないため、浴室の洗い場の片隅に排水路からの水を排水するようにしている。この場合、排水路から不用意に高温水が排水されると、入浴者に熱い思いをさせてしまう恐れがある。
【０００９】
かかる不具合を解消するため、本発明において、制御手段は、打たせ湯中止処理に際し、排水を指示する手動操作が行われたところで排水電磁弁を開弁させるように構成されることが望ましい。これによれば、入浴者が手動操作を行わない限り排水されず、排水路から不用意に高温水が排水されて、熱い思いをすることを防止できる。更に、排水電磁弁の開弁時に、排水が行われることを報知する報知手段を作動させるようにすれば、入浴者に一層注意を促すことができ、有利である。
【００１０】
また、本発明において、制御手段は、打たせ湯温度センサの検出温度が上限温度以上になったときに所定の待ち時間が経過したところで打たせ湯中止処理を実行するように構成され、この待ち時間は打たせ湯温度センサの検出温度が高くなるほど短く設定されることが望ましい。これによれば、給湯用熱交換器からの温水の温度が適温から一時的に変動した場合における打たせ湯の無用の中断防止と、高温での安全性確保との両立を図ることができる。
【発明を実施するための最良の形態】
【００１１】
図１を参照して、ＢＲは浴室を示している。浴室ＢＲには、洗い場ＢＲａの横方向一方(右方)に位置させて浴槽ＢＴが設置されている。また、浴室ＢＲの天井部には、浴槽ＢＴの上方に位置させて浴室暖房機１が設置されている。
【００１２】
図２、図３を参照して、浴室暖房機１は、暖房装置２と、ミスト装置３と、打たせ湯装置４とを備えている。また、これら各装置２，３，４には、図３に示す如く、給湯暖房用の熱源機５から温水や熱媒体(水や不凍液等)が供給される。尚、熱源機５は、給湯バーナ５１ａで加熱される給湯用熱交換器５１と、暖房用バーナ５２ａで加熱される暖房用熱交換器５２とを備える。
【００１３】
暖房装置２は、浴室暖房機１の暖房機本体１ａ内に、暖房機本体１ａの下面カバー１ｂに形成した固定ルーバ２１ａ付きの吸込み口２１と可変ルーバ２２ａ付きの吹出し口２２とを連通するように画成した通風路２３と、通風路２３を介して浴室ＢＲの空気を循環させる循環ファン２４と、通風路２３に流れる空気を加熱する放熱器２５とを備えている。放熱器２５には、熱源機５の暖房用熱交換器５２に連なる主熱媒循環路２６が接続されている。主熱媒循環路２６には、循環ポンプ２６ａと、暖房用熱媒弁２６ｂと、シスターン２６ｃとが介設されており、循環ポンプ２６ａの作動及び暖房用熱媒弁２６ｂの開弁で暖房用熱交換器５２と放熱器２５との間に熱媒体が循環する。熱媒体は暖房用熱交換器５２で加熱され、放熱器２５で放熱する。そして、循環ファン２４の作動により吸込み口２１から通風路２３に吸込まれた浴室ＢＲの空気が放熱器２５で加熱され、温風となって吹出し口２２から浴室ＢＲ内に送風される。
【００１４】
尚、吸込み口２１の上側にはフィルタ２７が装着されている。そして、下面カバー１ｂの吸込み口２１と吹出し口２２との間の部分に、フィルタ２７の側端の把手部２７ａが収まる出入れ口２７ｂを形成し、フィルタ２７を出入れ口２７ｂを通して抜き差し自在としている。
【００１５】
ミスト装置３は、下面カバー１ｂの吹出し口２２の横方向他方に隣接する部分に配置したミストノズル３１と、水道水をミストノズル３１に供給するミスト水路３２とを備えている。ミスト水路３２には、上流側から順に、水フィルタ３３、給水元電磁弁３４、逆止弁３５、液々熱交換器３６、ミスト温度センサ３７及びミスト電磁弁３８が介設されている。液々熱交換器３６には、主熱媒循環路２６から分岐した副熱媒循環路３６ａが接続されている。副熱媒循環路３６ａには流量調節弁３６ｂが介設されている。そして、流量調節弁３６ｂの開弁で熱媒体が液々熱交換器３６に供給され、ミスト水路３２に流れる水が熱媒体の熱で加熱され、温水となってミストノズル３１に供給される。ミストノズル３１から噴霧された温水ミストは吹出し口２２から送風される温風に乗って浴室ＢＲ内に供給される。また、ミスト温度センサ３７の検出温度が所定の設定温度になるように、流量調節弁３６ｂにより液々熱交換器３６への熱媒体の供給流量が制御される。
【００１６】
打たせ湯装置４は、吸込み口２１の一部を閉塞する閉塞板部２１ｂに形成される透孔２１ｃに臨ませて配置した打たせ湯ノズル４１と、熱源機５の給湯用熱交換器５１で加熱された温水を打たせ湯ノズル４１に供給する、給湯用熱交換器５１の出口に連なる出湯路５１ｂから分岐させた打たせ湯水路４２とを備えている。そして、温水が打たせ湯ノズル４１から図１に示す如く浴槽ＢＴに落下するようにしている。尚、打たせ湯ノズル４１には、透孔２１ｃを通して暖房機本体１ａの内部が見えることを防止するための目隠し板４１ａが連結されている。また、出湯路５１ｂの下流端には、家庭内に配置される図示省略した出湯栓が接続される。
【００１７】
打たせ湯水路４２には、上流側から順に、水フィルタ４３、水量調節弁４４、打たせ湯温度センサ４５及び打たせ湯電磁弁４６が介設されている。打たせ湯装置４は、更に、打たせ湯温度センサ４５と打たせ湯電磁弁４６との間の打たせ湯水路４２の部分から分岐させた排水路４７を備えており、この排水路４７に排水電磁弁４８が介設されている。尚、排水路４７からの水は、浴室ＢＲの洗い場ＢＲａの片隅に排水されるようになっている。
【００１８】
また、打たせ湯水路４２の排水路４７の分岐個所には、ミスト温度センサ３７とミスト電磁弁３８との間のミスト水路３２の部分が連通路３９を介して接続されている。そして、ミストノズル３１から温水を噴霧するミスト運転の停止時に、排水電磁弁４８を開弁させて、ミスト水路３２内の残留水を排水路４７を介して排水するようにしている。
【００１９】
上記した循環ファン２４、暖房用熱媒弁２６ｂ、給水元電磁弁３４、流量調節弁３６ｂ、ミスト電磁弁３８、水量調節弁４４、打たせ湯電磁弁４６及び排水電磁弁４８は、図２に示す如く浴室暖房機１に設けた制御手段たるコントローラ６で制御される。コントローラ６には、浴室暖房機用のリモコン７が接続されている。リモコン７は、暖房スイッチ７１、ミストスイッチ７２、打たせ湯スイッチ７３、停止スイッチ７４、暖房温度や打たせ湯の水量等を可変設定するアップダウンスイッチ７５、高温排水スイッチ７６、排水表示７７ａ等の各種表示と、時刻、暖房設定温度、打たせ湯設定水量等を選択表示する液晶表示部７７ｂとを有する表示器７７及びスピーカ７８を備えている。
【００２０】
暖房スイッチ７１をオンすると、コントローラ６から熱源機５に作動指令が送られて、循環ポンプ２６ａと暖房用バーナ５２ａとが作動され、更に、暖房用熱媒弁２６ｂが開弁されて、放熱器２５に暖房用熱交換器２５で加熱された熱媒体が供給されると共に、循環ファン２４が作動されて、浴室ＢＲ内に温風を送風する暖房運転が行われる。
【００２１】
ミストスイッチ７２をオンすると、上述した暖房運転と同様の制御が行われると共に流量調節弁３６ｂが開弁されて、液々熱交換器３６に暖房用熱交換器２５で加熱された熱媒体が供給され、更に、給水元電磁弁３４及びミスト電磁弁３８が開弁されて、液々熱交換器３６で加熱された温水をミストノズル３１から噴霧するミスト運転が行われる。
【００２２】
打たせ湯スイッチ７３をオンすると、打たせ湯電磁弁４６が開弁され、給湯用熱交換器５１で加熱された温水を打たせ湯ノズル４１から落下させる打たせ湯運転が行われる。ここで、給湯温度は図外の給湯リモコンで最高６０℃まで可変設定できるようになっている。そして、給湯温度を誤って高温に設定した場合、高温の温水が入浴者に落下してしまう可能性がある。そこで、本実施形態では、コントローラ６により図４に示す打たせ湯制御を行うようにしている。
【００２３】
打たせ湯制御では、先ず、ＳＴＥＰ１で打たせ湯スイッチ７３がオンされたか否かを判別し、オンされたときは、ＳＴＥＰ２で排水電磁弁４８を開弁させて、冷水が落下することを防止するための初期排水を行う。そして、ＳＴＥＰ３で打たせ湯温度センサ４５の検出温度Ｔが所定の下限温度(例えば、３０℃)ＹＴＬ以下であるか否かを判別し、Ｔ≦ＹＴＬであれば、ＳＴＥＰ４でこの状態が所定時間(例えば、３分)継続したか否かを判別する。Ｔ≦ＹＴＬの状態が所定時間継続したときは、熱源機５に異常有りと判断し、ＳＴＥＰ５で排水電磁弁４８を閉弁させると共に、スピーカ７８でその旨を報知する。
【００２４】
所定時間以内にＴ＞ＹＴＬになったときは、ＳＴＥＰ６に進み、打たせ湯温度センサ４５の検出温度Ｔが所定の上限温度ＹＴＨ(例えば、４７℃)未満であるか否かを判別する。そして、Ｔ＜ＹＴＨであるときは、ＳＴＥＰ７でスピーカ７８により打たせ湯の開始を報知した後、ＳＴＥＰ８で打たせ湯電磁弁４６を開弁させると共に、排水電磁弁４８を閉弁させる。これにより、給湯用熱交換器５１で加熱された適温の温水が水量調節弁４４により設定水量に調節された状態で打たせ湯ノズル４１から落下する。
【００２５】
次に、ＳＴＥＰ９で停止スイッチ７４がオンされたか否かを判別し、オンされるまでは、ＳＴＥＰ６に戻って上述の処理を繰り返す。尚、図示しないが、この場合にはＳＴＥＰ７での報知は行われない。停止スイッチ７４がオンされたときは、ＳＴＥＰ１０で打たせ湯電磁弁４６を閉弁させて打たせ湯運転を終了した後、ＳＴＥＰ１に戻る。
【００２６】
ＳＴＥＰ６でＴ≧ＹＴＨと判別されたときは、ＳＴＥＰ１１に進み、打たせ湯温度センサ４５の検出温度Ｔが上限温度ＹＴＨよりも高く設定した所定の危険温度ＹＴＫ(例えば、５２℃)未満であるか否かを判別する。ＹＴＨ≦Ｔ＜ＹＴＫであるときは、ＳＴＥＰ１２でこの状態が所定の第１待ち時間ｔｍ１(例えば、１０秒)継続したか否かを判別し、また、Ｔ≧ＹＨＫであるときはＳＴＥＰ１３に進み、この状態が第１待ち時間ｔｍ１よりも短く設定した所定の第２待ち時間ｔｍ２(例えば、２秒)継続したか否かを判別する。
【００２７】
ＹＴＨ≦Ｔ＜ＹＴＫの状態が第１待ち時間ｔｍ１継続したとき、或いはＴ≧ＹＴＫの状態が第２待ち時間ｔｍ２継続したときは、ＳＴＥＰ１４で打たせ湯電磁弁４６を閉弁させて、打たせ湯運転を中止する。次に、ＳＴＥＰ１５で表示器７７の排水表示７７ａを点滅させ、入浴者に高温排水スイッチ７６の操作を促す。そして、ＳＴＥＰ１６で高温排水スイッチ７６がオンされたか否かを判別し、オンされたとき、ＳＴＥＰ１７でスピーカ７８により高温の排水が行われることを報知する警告音を発生すると共に、排水電磁弁４８を開弁させる。これにより、打たせ湯水路４２内の高温の残留水が排水路４７を介して排水される。
【００２８】
次に、ＳＴＥＰ１８でＹＴＬ≦Ｔ＜ＹＴＨになったか否かを判別し、ＹＴＬ≦Ｔ＜ＹＴＨになったときは、ＳＴＥＰ１９でこの状態が所定時間(例えば、５秒)継続したか否かを判別する。そして、ＹＴＬ≦Ｔ＜ＹＴＨの状態が所定時間継続したときに、ＳＴＥＰ２０で排水電磁弁４８を閉弁させると共に、警告音の発生を停止し、その後、ＳＴＥＰ１に戻る。
【００２９】
本実施形態の打たせ湯制御によれば、給湯用熱交換器５１からの温水の温度が上限温度ＹＴＨ以上になると、打たせ湯電磁弁４６が閉弁して、打たせ湯ノズル４１への温水の供給が遮断される。従って、給湯温度を誤って高温に設定しても、打たせ湯ノズル４１から高温の温水が落下することはない。但し、打たせ湯電磁弁４１を閉弁するだけでは、打たせ湯が中止された後、使用者が給湯温度を低く設定し直して、打たせ湯運転を再開したときに、打たせ湯水路４２内に残留する高温の温水が打たせ湯ノズル４１から落下する可能性がある。これに対し、本実施形態では、給湯用熱交換器４１からの温水の温度が上限温度ＹＴＨ以上になると、ＳＴＥＰ１４からＳＴＥＰ２０までの打たせ湯中止処理において、打たせ湯電磁弁４６を閉弁させるだけでなく、打たせ湯温度センサ４５の検出温度が上限温度ＹＴＨを下回るまで排水電磁弁４８を開弁させるため、打たせ湯水路４２内の高温の残留水は排水路４７を介して排水される。従って、打たせ湯運転の再開時に高温の残留水が打たせ湯ノズル４１から落下することも防止でき、安全である。尚、ＳＴＥＰ２０に進んで排水が完了するまでは、ＳＴＥＰ１に戻らないため、排水中に打たせ湯スイッチ７３をオン操作しても、打たせ湯運転が再開されることはない。
【００３０】
ところで、浴室ＢＲの洗い場ＢＲａに排水路４７からの水を排水すると、排水路４７から不用意に高温水が排水された場合、入浴者に熱い思いをさせてしまう恐れがある。一方、本実施形態では、入浴者が排水を指示する手動操作、即ち、高温排水スイッチ７６のオン操作を行わない限り、排水電磁弁４８は開弁されない。そのため、排水路４７から不用意に高温水が排水されて、熱い思いをすることを防止できる。更に、排水電磁弁４８の開弁時に、報知手段たるスピーカ７８により高温の排水が行われることを報知する警告音を発生させるため、入浴者に一層注意を促すことができる。
【００３１】
また、本実施形態では、打たせ湯温度センサ４５の検出温度Ｔが上限温度ＹＴＨ以上になったときに所定の待ち時間が経過したところでＳＴＥＰ１４以下の打たせ湯中止処理を実行している。そして、この待ち時間は、検出温度Ｔが上限温度ＹＴＨ以上で危険温度ＹＴＫ未満のときは、比較的長い第1待ち時間ｔｍ１に設定され、検出温度Ｔが危険温度ＹＴＫ以上になったときは、比較的短い第2待ち時間ｔｍ２に設定される。このように、待ち時間を検出温度Ｔが高くなるほど短く設定するため、給湯用熱交換器５１からの温水の温度が適温から一時的に変動した場合における打たせ湯の無用の中断を防止でき、且つ、温水温度が大幅に高くなった場合には速やかに打たせ湯を中止して安全性を確保できる。
【００３２】
以上、本発明の実施形態について図面を参照して説明したが、本発明はこれに限定されない。例えば、上記実施形態では、打たせ湯温度センサ４５の検出温度Ｔが上限温度ＹＴＨ以上になったときの打たせ湯中止処理までの待ち時間を第1待ち時間ｔｍ１と第2待ち時間ｔｍ２との2段階に可変設定するようにしたが、待ち時間を検出温度Ｔの上昇に応じて3段階以上の多段に可変設定し、或いは、検出温度Ｔの上昇に反比例して短くなるように無段階に可変設定してもよい。
【００３３】
また、上記実施形態では、打たせ湯中止処理が完了してＳＴＥＰ２０で排水電磁弁４８を閉弁させた後、ＳＴＥＰ１に戻り、打たせ湯スイッチ７３を再度オンしたときに打たせ湯運転を再開するようにしているが、ＳＴＥＰ２０からＳＴＥＰ７に戻って、打たせ湯運転を自動的に再開するようにしてもよい。また、上記実施形態は、浴室暖房機１に付設した打たせ湯装置４に本発明を適用したものであるが、浴室暖房機1とは分離独立して設ける打たせ湯装置にも同様に本発明を適用できる。
【図面の簡単な説明】
【００３４】
【図１】本発明の実施形態の打たせ湯装置を具備する浴室暖房機の設置状態を示す説明図。
【図２】図1の浴室暖房機の切断側面図。
【図３】図1の浴室暖房機の配管構造を示す回路図。
【図４】実施形態の打たせ湯制御の内容を示すフロー図。
【符号の説明】
【００３５】
ＢＴ…浴槽、４…打たせ湯装置、４１…打たせ湯ノズル、４２…打たせ湯水路、４５…打たせ湯温度センサ、４６…打たせ湯電磁弁、４７…排水路、４８…排水電磁弁、５…熱源機、５１…給湯用熱交換器、６…コントローラ(制御手段)、７…浴室暖房機用リモコン、７３…打たせ湯スイッチ、７６…高温排水スイッチ、７８…スピーカ(報知手段)。
【図１】
2010131281.tif 000003
【図２】
2010131281.tif 000004
【図３】
2010131281.tif 000005
【図４】
2010131281.tif 000006